(57)【要約】【課題】  チャンネル数値キーを操作して受信するチャンネルを選択するにあたり、安定して受信することができるテレビ受像機を提供することである。【解決手段】  テレビ受像機１を操作するためのリモコン３に設けられるチャンネル数値キーが、その操作が開始されてからそのキーに対応するチャンネルの受信を終了するまでの時間であるチューニング時間以上の所定時間にわたって押し下げられると、該操作されたチャンネル数値キーに対応するチャンネルを受信することが確定するとともに、該確定したチャンネルの放送内容をテレビモニタ２に出力するようにする。【選択図】  図１
2005079626.tif 000002
【特許請求の範囲】
【請求項１】
複数のチャンネル数値キー及びテレビモニタを備えるテレビ受像機であって、テレビ受像機を使用するユーザによるチャンネル数値キーを押下げる操作により対応するチャンネルの放送を受信し、受信した放送内容をテレビモニタに出力するようにされており、
チャンネル数値キーが、該チャンネル数値キーの操作が開始されてから該チャンネル数値キーに対応するチャンネルの受信を終了するまでの時間であるチューニング時間以上の所定時間にわたって押し下げられると、該操作されたチャンネル数値キーに対応するチャンネルを受信することが確定するとともに、該確定したチャンネルの放送内容をテレビモニタに出力するようにされたテレビ受像機。
【請求項２】
前記チャンネル数値キーが一桁の数値のキーであり、該チャンネル数値キーが前記チューニング時間以上の所定時間にわたって押し下げられると、該操作されたチャンネル数値キーに対応する一桁のチャンネルを受信することが確定する請求項１に記載のテレビ受像機。
【請求項３】
前記テレビ受像機は、チャンネルナンバーが一桁の数値及び二桁の数値からなるチャンネルを受信することができ、
最初に前記一桁の数値のチャンネル数値キーを操作してチャンネルの二桁の位の数値を入力し、次に前記一桁の数値のチャンネル数値キーを操作してチャンネルの一桁の位の数値を入力することにより、二桁の数値からなるチャンネルナンバーのチャンネルを選択することができ、
前記チャンネルの二桁の位の数値を入力する操作が、前記一桁のチャンネル数値キーを前記所定時間未満押し下げて行うようにされている請求項２に記載のテレビ受像機。
【請求項４】
前記テレビ受像機は、チャンネルナンバーが一桁の数値、二桁の数値及び三桁の数値からなるチャンネルを受信することができ、
最初に前記一桁の数値のチャンネル数値キーを操作してチャンネルの三桁の位の数値を入力し、次に前記一桁の数値のチャンネル数値キーを操作してチャンネルの二桁の位の数値を入力し、さらに次に前記一桁の数値のチャンネル数値キーを操作してチャンネルの一桁の位の数値を入力することにより、三桁のチャンネルを選択することができ、
前記チャンネルの三桁の位の数値を入力する操作が、前記一桁のチャンネル数値キーを前記所定時間未満押し下げて行うようにされており、
前記チャンネルの二桁の位の数値を入力する操作が、前記三桁の位の数値を入力した後に前記一桁のチャンネル数値キーを前記所定時間未満の時間押し下げて行うようにされている請求項２に記載のテレビ受像機。
【請求項５】
前記チャンネルの一桁の位の数値は、前記チャンネル数値キーを押し下げることのみにより確定するようにされた請求項３又は４に記載のテレビ受像機。
【請求項６】
前記チャンネルの一桁の位の数値は、前記チャンネル数値キーを前記所定時間押し下げることによって確定するようにされた請求項３又は４に記載のテレビ受像機。
【請求項７】
前記所定時間が前記チューニング時間の１．５倍以下の時間である請求項１乃至６のいずれかに記載のテレビ受像機。
【請求項８】
前記所定時間が１．５秒以上の時間である請求項１乃至６のいずれかに記載のテレビ受像機。
【請求項９】
前記所定時間が２．０秒以下の時間である請求項８に記載のテレビ受像機。
【請求項１０】
前記所定時間が１．５秒である請求項１乃至６のいずれかに記載のテレビ受像機。
【発明の詳細な説明】
【技術分野】
【０００１】
本発明は、チャンネル数値キーを操作して受信したいチャンネルを選択するにあたり、安定して受信することができるテレビ受像機に関する。
【背景技術】
【０００２】
テレビ受像機によると、各放送チャンネルと対応している放送局より送信される放送内容を受信し、その放送内容をテレビモニタにより視聴することができる。そして、テレビ受像機により受信する放送チャンネルの選択は、操作用リモコンに設けられるチャンネル数値キーの操作によって行う。
【０００３】
即ち、一定のチャンネル数値キーを順次に押し下げる操作を行ってチャンネルのナンバーを入力することにより、入力された数値に一致するチャンネルを選択することができる。
【０００４】
そして、従来の技術として、チャンネル数値キーが所定時間以上押し下げられた場合にその数値を確定し、受信するチャンネルを選択するようにしたテレビ受像機がある（例えば、特許文献１参照）。
【特許文献１】特開平１０−２８９０４６号公報
【発明の開示】
【発明が解決しようとする課題】
【０００５】
ここで、従来のテレビ受像機にあっては、チャンネル数値キーの操作によって入力されたチャンネルを受信しようとすると、安定して受信できないことがあった。
【０００６】
即ち、受信するチャンネルを確定するタイミングが、チャンネル数値キーの操作に応じて対応するチャンネルを受信しようとするチューニング動作のタイミングと整合していなかった。これにより、テレビ受像機のチューニング動作の不安定を生じ、テレビモニタに出力される映像の乱れを生ずることがあった。
【０００７】
そこで、本発明は、チャンネル数値キーを操作して受信するチャンネルを選択するにあたり、安定して受信することができるテレビ受像機を提供することを目的とする。
【課題を解決するための手段】
【０００８】
上記課題を解決するため、本発明は、複数のチャンネル数値キー及びテレビモニタを備えるテレビ受像機であって、テレビ受像機を使用するユーザによるチャンネル数値キーを押下げる操作により対応するチャンネルの放送を受信し、受信した放送内容をテレビモニタに出力するようにされており、
チャンネル数値キーが、該チャンネル数値キーの操作が開始されてから該チャンネル数値キーに対応するチャンネルの受信を終了するまでの時間であるチューニング時間以上の所定時間にわたって押し下げられると、該操作されたチャンネル数値キーに対応するチャンネルを受信することが確定するとともに、該確定したチャンネルの放送内容をテレビモニタに出力するようにされたテレビ受像機である（請求項１）。
【０００９】
本発明のテレビ受像機によると、チャンネル数値キーが前記チューニング時間以上の所定時間にわたって押し下げられたことが検出されると、該チャンネル数値キーの操作によって選択されたチャンネルの受信を確定し、そのチャンネルの放送をテレビモニタに出力する。
【００１０】
これにより、チャンネル数値キーの操作に対して、チャンネルを切り替える動作を安定させることができ、チャンネルの切り替えに伴うテレビモニタに出力する放送の切り替えを安定させることができる。
【００１１】
また、本発明のテレビ受像機において、前記チャンネル数値キーが一桁の数値のキーであり、該チャンネル数値キーが前記チューニング時間以上の所定時間にわたって押し下げられると、該操作されたチャンネル数値キーに対応する一桁のチャンネルの受信を確定するようにすることができる（請求項２）。
【００１２】
この発明のテレビ受像機によると、一桁の数値のチャンネル数値キーを操作し、その一桁の数値のチャンネルを受信する場合に、チャンネルの切り替えに伴ってテレビモニタに出力する放送の切り替えを安定に行うことができる。
【００１３】
また、前記テレビ受像機が、チャンネルナンバーが一桁の数値及び二桁の数値からなるチャンネルを受信することができ、
最初に前記一桁の数値のチャンネル数値キーを操作してチャンネルの二桁の位の数値を入力し、次に前記一桁の数値のチャンネル数値キーを操作してチャンネルの一桁の位の数値を入力することにより、二桁の数値からなるチャンネルナンバーのチャンネルを選択することができるものである場合に、
前記チャンネルの二桁の位の数値を入力する操作を、前記一桁のチャンネル数値キーを前記所定時間未満押し下げて行うようにすることができる（請求項３）。
【００１４】
この発明のテレビ受像機によると、二桁の数値のチャンネルを受信しようとする場合に、チャンネルの二桁の位の数値の入力を短い時間で行うことができ、チャンネル数値キーの操作が容易である。
【００１５】
また、前記テレビ受像機が、チャンネルナンバーが一桁の数値、二桁の数値及び三桁の数値からなるチャンネルを受信することができ、
最初に前記一桁の数値のチャンネル数値キーを操作してチャンネルの三桁の位の数値を入力し、次に前記一桁の数値のチャンネル数値キーを操作してチャンネルの二桁の位の数値を入力し、さらに次に前記一桁の数値のチャンネル数値キーを操作してチャンネルの一桁の位の数値を入力することにより、三桁のチャンネルを選択することができるものである場合に、
前記チャンネルの三桁の位の数値を入力する操作を、前記一桁のチャンネル数値キーを前記所定時間未満押し下げて行うようにし、
前記チャンネルの二桁の位の数値を入力する操作を、前記三桁の位の数値を入力した後に前記一桁のチャンネル数値キーを前記所定時間未満の時間押し下げて行うようにすることができる（請求項４）。
【００１６】
この発明のテレビ受像機によると、三桁の数値のチャンネルを受信しようとする場合に、チャンネルの三桁の位の数値及び二桁の位の数値の入力を短い時間で行うことができ、チャンネル数値キーの操作が容易である。
【００１７】
そして、テレビ受像機が、二桁の数値の範囲内にあるチャンネルを受信することができるものである場合（請求項３）、又は三桁の数値の範囲内にあるチャンネルを受信することができるものである場合（請求項４）に、チャンネルの一桁の位の数値を前記チャンネル数値キーを押し下げることのみにより確定するようにすることができる（請求項５）。
【００１８】
一方、テレビ受像機が、二桁の数値の範囲内にあるチャンネルを受信することができるものである場合（請求項３）、又は三桁の数値の範囲内にあるチャンネルを受信することができるものである場合（請求項４）に、チャンネルの一桁の位の数値を前記チャンネル数値キーを前記所定時間押し下げることによって確定するようにすることもできる（請求項６）。
【００１９】
また、前記チューニング時間以上の前記所定時間を前記チューニング時間の１．５倍以下の時間とするのが好ましい（請求項７）。これにより、チャンネル数値キーの操作によって選択されたチャンネルの受信を確定するための所定時間を適切な時間にすることができる。これにより、チャンネルの受信を確定するためのチャンネル数値キーの操作が煩雑にならない。
【００２０】
また、前記所定時間を１．５秒以上の時間とするのが好ましく（請求項８）、前記所定時間を２．０秒以下の時間とするのがさらに好ましい（請求項９）。そして、前記所定時間を１．５秒とするのが最も好ましい。
【発明の効果】
【００２１】
本発明は、以上説明したような形態で実施され、以下に記載されるような効果を奏する。
【００２２】
本発明のテレビ受像機によると、チャンネル数値キーの操作に対して、チャンネルを切り替える動作を安定させることができる。これにより、チャンネルの切り替えに伴うテレビモニタに出力する放送の切り替えを安定させることができる。
【発明を実施するための最良の形態】
【００２３】
本発明の実施の形態について、図１乃至図７に基づいて説明する。図１は、本発明の一実施形態であるテレビ受像機１のブロック図であり、テレビ受像機１の構成の概略を示している。テレビ受像機１は、操作用リモコン３とチューナ５と制御用マイコン１０と外部メモリ６とリモコン受光部７とテレビモニタ２を備えている。
【００２４】
このテレビ受像機１のユーザが操作用リモコン３を操作することにより、テレビ受像機１を操作することができる。操作用リモコン３は、テレビ受像機１を操作するための各種の操作キーを備えている。
【００２５】
操作用リモコン３は、電源キー、操作メニュー表示キー、チャンネル数値キーの他、テレビ受像機１の操作に必要な各種のキーを備えている。
【００２６】
電源キーは、テレビ受像機１の電源オン／オフに用いられる。また、操作メニュー表示キーを操作することにより、テレビ受像機１を動作させる条件を設定するための操作メニューをテレビモニタ２に表示させることができる。
【００２７】
そして、テレビモニタ２に表示される操作メニューへの入力を介して、テレビ受像機１を動作させる条件を設定することができる。この操作メニューへの入力は、操作用リモコン３の所要の操作キーの操作によって行う。また、チャンネル数値キーの操作が長押しか否かの判定の基準となる所定時間Ｔ１は、この操作メニューを介して入力される。
【００２８】
チャンネル数値キーは、テレビ受像機１が受信するべき放送チャンネルの選択に用いられる。操作用リモコン３には、チャンネル数値キーとして、図１に示される各種の数値を表すキーが設けられている。
【００２９】
操作用リモコン３のこれらの操作キーは、ユーザが押し下げることによって、即ちキーの表面を操作用リモコン３の本体の方向へ押し込むことによって操作される。
【００３０】
テレビ受像機１のユーザが操作用リモコン３の各操作キーを操作すると、各操作キーに割り当てられる操作キー判別信号が操作用リモコン３より出力され、リモコン受光部７に入力される。リモコン受光部７に入力された操作キー判別信号は、後に説明するキー検出部１７に入力される。
【００３１】
チューナ５にはアンテナが接続されている。チューナ５は、受信するべき放送チャンネルの放送波を選択して受信する。チューナ５には、後に説明する選局処理部１２により、受信するべき放送チャンネル（放送チャンネルに割り当てられる特定の周波数）が設定される。
【００３２】
そして、チューナ５が設定された放送チャンネルを受信すると、この放送チャンネルの放送信号（映像信号や音声信号）は、チューナ５から選局処理部１２へ出力される。
【００３３】
制御用マイコン１０は、テレビ受像機１の全体の制御を行う。制御用マイコン１０は、ＣＰＵ（中央演算処理装置）、ＲＯＭ（読み出し専用メモリ）及びＲＡＭ（読み書き可能メモリ）を備えている。
【００３４】
制御用マイコン１０には外部メモリ６が接続されている。外部メモリ６は、制御用マイコン１０による読み出しと書き込みが可能に構成されている。この外部メモリ６は、Ｅ２ＰＲＯＭにより構成することができる。
【００３５】
制御用マイコン１０には、制御部１１、選局処理部１２、キー検出部１７、キー判断部１６、所定時間設定部１４、長押し判定部１９、桁設定部１３、及び表示制御部１５が形成されている。制御用マイコン１０に形成されるこれらの各部は、ＲＯＭ内の演算処理が可能なプログラムによってモジュール化されている。
【００３６】
制御部１１は、制御用マイコン１０の動作の制御を行う。制御部１１が制御用マイコン１０の各部を制御することにより、制御用マイコン１０がテレビ受像機１の動作を制御する。なお、制御用マイコン１０のＲＯＭにはテレビ受像機１を制御する手順からなる制御プログラムが格納されている。そして、制御用マイコン１０は、この制御プログラムを実行することによってテレビ受像機１を制御する。
【００３７】
選局処理部１２は、チューナ５に受信するべき放送チャンネル（の特定の周波数）の設定を行う。選局処理部１２には、受信するべき放送チャンネルのデータとそのチャンネルの周波数のデータとが入力される。受信するべき放送チャンネルのデータは、後に説明する桁設定部１３より選局制御部１２に入力される。
【００３８】
また、受信するべき放送チャンネルの周波数のデータは、外部メモリ６より選局処理部１２に入力される。外部メモリ６には、テレビ受像機１によって受信することが可能なチャンネルの周波数のデータが記憶されている。なお、テレビ受像機１が受信可能な放送チャンネルとその受信周波数のデータとは、放送チャンネルのプリセットにより、予め外部メモリ６に記憶されている。
【００３９】
チューナ５が受信するべき放送チャンネルを設定され、この放送チャンネルの放送信号（映像信号及び／又は音声信号）を受信すると、チューナ５が受信した放送信号はチューナ５から選局処理部１２へ入力される。
【００４０】
選局処理部１２へ入力された映像信号は、制御部１１の制御に基づき、後に説明する表示処理部１８に入力される。なお、選局処理部１２に入力された音声信号は、制御部１１の制御に基づき、特に図示しない信号処理経路を通ってテレビモニタ２のスピーカに入力される。
【００４１】
キー検出部１７には、リモコン受光部７より出力された操作キー判別信号が入力される。キー検出部１７に入力された操作キー判別信号は、キー判断部１６及び長押し判定部１９に入力される。
【００４２】
キー判断部１６は、入力された操作キー判別信号に基づき、操作されたキーの種類を判断する。そして、キー判断部１６は、操作された操作キーの種類を判断するキー判断信号を制御部１１に出力する。また、キー判断部１６は、操作された操作キーがチャンネル数値キーである場合、チャンネルナンバーを構成する数値のデータを桁設定部１３に出力する。
【００４３】
制御部１１は、キー判断部１６より入力されたキー判断信号により操作されたキーの種類を判断する。そして、制御部１１は、操作用リモコン３に対する操作の内容を判断し、その内容に応じてテレビ受像機１の動作を制御する。
【００４４】
長押し判定部１９は、操作キーに対する操作が長押しにあたるか否かの判定を行う。長押し判定部１９には、操作キー判別信号がキー検出部１７より入力される。また、長押し判定部１９には、後に説明する所定時間設定部１４より所定時間Ｔ１のデータが入力される。
【００４５】
また、長押し判定部１９には、チャンネル数値キーが操作されているキー操作時間のデータが入力される。制御用マイコン１０は、チャンネル数値キーが操作されている時間をカウントするキー操作時間カウント部（図示されない）を有している。このキー操作時間カウント部がカウントしたチャンネル数値キーが操作された時間のデータは、長押し判定部１９に入力される。
【００４６】
そして、長押し判定部１９は、チャンネル数値キーが操作された時間のデータと所定時間Ｔ１との比較により、操作キーに対する操作が長押しにあたるか否かを判定する。長押し判定部１９は、操作キーが長押しされたと判定すると、長押し検出信号を出力する。長押し判定部１９より出力された長押し検出信号は、後に説明する桁設定部１３に入力される。
【００４７】
所定時間設定部１４は、長押しの判定の基準となる所定時間Ｔ１を設定するための処理を行う。即ち、所定時間設定部１４は、ユーザが所定時間Ｔ１を入力するための操作メニューをテレビモニタ２に表示し、この操作メニューを介して入力された所定時間Ｔ１のデータを記憶する。これにより、所定時間Ｔ１がテレビ受像機１に設定される。
【００４８】
なお、所定時間設定部１４の処理により、所定時間Ｔ１を入力するための操作メニューの表示及び所定時間Ｔ１の入力は、操作用リモコン３の操作によって行う。
【００４９】
桁設定部１３は、受信するべき放送チャンネルのチャンネルナンバーを選局処理部１２に設定する。桁設定部１３には、キー判断部１６より出力されたチャンネルナンバーを構成する各桁の数値が入力される。
【００５０】
また、桁設定部１３には、所定時間設定部１４より所定時間Ｔ１のデータが入力される。また、桁設定部１３には、長押し判定部１９が長押しを検出した場合に、長押し検出信号が入力される。
【００５１】
そして、桁設定部１３は、入力されたチャンネル数値キーの数値と長押し検出信号とに基づき、受信するべきチャンネルナンバーを確定する。そして、桁設定部１３は、受信するべきチャンネルを確定すると、受信確定信号を表示制御部１５に出力する。
【００５２】
表示制御部１５は、数値チャンネルキーの操作によって選択されたチャンネルの放送をテレビモニタ２に表示するか否かの制御を行う。表示制御部１５は、桁設定部１３より受信確定信号が入力されると、後に説明する表示処理部１８を、桁設定部１３において受信が確定したチャンネルの放送をテレビモニタ２に出力させるように制御する。
【００５３】
表示処理部１８は、入力された映像信号をテレビモニタ２に映像として出力するための処理を行う。表示処理部１８は、クロマＩＣを含む色信号処理回路や、偏向回路を備えている。この表示処理部１８は、テレビモニタ２に映像を表示するため、入力された映像信号に基づく水平走査及び垂直走査や輝度、色制御等の処理を行う。
【００５４】
そして、表示処理部１８には、選局処理部１２より映像信号が入力される。そして、表示処理部１８に入力された映像信号は表示処理部１８で処理され、テレビモニタ２に出力される。表示処理部１８が映像信号を処理しテレビモニタ２に出力するか否かは、表示制御部１５によって制御される。
【００５５】
次に、図２及び図３により、チャンネル数値キーの操作に対してチャンネルが確定する条件について説明する。以下の説明では、テレビ受像機１が、一桁の数値のチャンネルナンバーのチャンネル及び二桁の数値のチャンネルナンバーのチャンネルを受信できる場合の例により説明する。
【００５６】
そして、一桁の数値のチャンネルは、対応する一桁のチャンネル数値キーを操作することによって選択できる。また、二桁の数値からなるチャンネルは、一桁のチャンネル数値キーのうち対応するもの二つを順に操作することによって選択できる。
【００５７】
図２は、一桁の数値からなるチャンネルを選択する操作と、このチャンネルの受信を確定するタイミングを示す図である。
【００５８】
図２（ａ）に示されるように、テレビ受像機１が５チャンネル（ＣＨ）を受信しテレビモニタ２に５チャンネルの放送内容が出力されている状況で、操作用リモコン３のチャンネル数値キーの「７」を押し下げる操作を行う（Ａ１）。
【００５９】
そして、図２（ｂ）に示されるように、チャンネル数値キーの「７」が所定時間Ｔ１以上の時間にわたって押し下げられ長押しされると（Ａ２）、７チャンネルを受信することが確定する。これにより、テレビモニタ２に出力される放送は、５チャンネルから７チャンネルに切り替えられる。
【００６０】
次に、図３は、二桁の数値からなるチャンネルを選択する受信を確定するタイミングを示す図である。図３（ａ）に示されるように、テレビ受像機１が５チャンネルを受信しテレビモニタ２に５チャンネルの放送内容が出力されている状況で、操作用リモコン３のチャンネル数値キーの「７」を押し下げる操作を行う（Ａ１）。
【００６１】
そして、図３（ｂ）に示されるように、Ａ１でチャンネル数値キーの「７」の押し下げが開始されてからの時間をカウントし、所定時間Ｔ１が経過する時点Ａ４より前にチャンネル数値キーの「２」が押し下げられると、チャンネルの二桁の位の数値である７とチャンネルの一桁の位の数値である２とが確定する。これにより、７２チャンネルの受信が確定し、テレビモニタ２に出力される放送は、５チャンネルから７２チャンネルに切り替えられる。
【００６２】
なお、この二桁のチャンネルの受信を確定するにあたり、チャンネルナンバーにおける一桁の位の数値の確定を、所定時間Ｔ１以上の長押しを検出することによって行うこともできる。即ち、図３に示される例において、チャンネル数値キーの「２」がＡ３で押し下げられＴ１時間が経過する時点Ａ５まで長押しされたことを検出すると、一桁の数値の「２」を確定するようにしてもよい。
【００６３】
また、この図３により示される例において、チャンネル数値キーの「７」の押し下げが開始され所定時間Ｔ１が経過する前に数値キーの「７」の押し下げが解除されると、チャンネル数値キーを操作する時間のカウントは解除され、チャンネル数値キーを操作する時間を新たにカウントできるようにされる。
【００６４】
また、チャンネル数値キーの「２」の操作により、一桁の位の数値である「２」が確定すると、チャンネル数値キーを操作する時間のカウントは解除され、チャンネル数値キーを操作する時間を新たにカウントできるようにされる。
【００６５】
次に、図４により、チャンネル数値キーが長押しされたか否かを検出するための所定時間Ｔ１の設定の基準について説明する。図４は、チャンネル数値キーの操作を開始してから、対応するチャンネルの受信を終了するまでのテレビ受像機１のチューニング動作（選局動作）のタイミングを示している。
【００６６】
図４において、Ｂ１は、チャンネル数値キーが操作され、その数値がテレビ受像機１に入力されるタイミングである。Ｂ２は、チューナ５が選局動作を開始するタイミングである。
【００６７】
また、図４において、Ｂ３は、ＡＦＴ（オートファインチューニング）動作を開始するタイミングである。Ｂ４は、チューナ５に設定する周波数を、ＡＦＴにより探索した受信周波数に引き込むタイミングである。このＢ４の時点でＡＦＴによる受信周波数の設定が完了する。
【００６８】
また、図４において、Ｂ５は、チューニング動作の終了のタイミングである。Ｂ５の時点を経過すると、チャンネル数値キーの操作によって選択されたチャンネルの放送を安定してテレビモニタ２に出力することができる。
【００６９】
図４において、Ｂ１でチャンネル数値キーが操作されると、制御用マイコン１０はこのキーの操作がされたことを検出する。そして、制御用マイコン１０は、チャンネル数値キーの操作によって入力されたチャンネルを受信するよう選局動作を開始させる（Ｂ２）。このＢ１から選局動作を開始するＢ２まで一定時間ｃ１を要する。
【００７０】
次に、Ｂ２で選局動作を開始することにより、受信しようとする選局チャンネルの中心周波数を出し、同調検出を行う。このＢ２から同調検出を終了する時点Ｂ３まで一定時間ｃ２を要する。
【００７１】
次に、Ｂ３で同調検出を終了すると、ＡＦＴ動作を行う。このＡＦＴ動作により、予め設定されているチャンネルの中心周波数に対して最適な受信周波数を探索し、この受信周波数をチューナ５に設定する。そして、Ｂ３でＡＦＴ動作を開始してからＢ４でＡＦＴ動作を終了するまで、一定時間ｃ３を要する。
【００７２】
次に、Ｂ４でＡＦＴ動作を終了すると、ミュート処理が開始される。そして、このミュート処理が解除されてチューニング動作を終了するＢ５の時点まで、一定時間ｃ４を要する。このミュート処理は、チャンネルが切り替えられることに伴ういわゆるポップ音の出力を防ぐために行われる。
【００７３】
図４に示されるように、チャンネル数値キーの操作が開始されてからチューニング動作を終了するまでのチューニング時間は、ｃ１、ｃ２、ｃ３、ｃ４の合計であるＴ０となる。
【００７４】
そして、チャンネル数値キーが長押しされたか否か判定するための所定時間Ｔ１は、チューニング時間Ｔ０以上の時間を設定するのが好ましい。これにより、一桁の数値のチャンネル数値キーを操作してチャンネルを切り替える場合に、安定してテレビモニタ２に放送内容を出力することができる。これにより、テレビモニタ２の出力が不安定となることなくユーザに不快感を与えることがない。
【００７５】
また、長押しを判定するための所定時間Ｔ１を設定するにあたり、チューニング時間Ｔ０の１．５倍以下の時間で設定するのが好ましい。所定時間Ｔ１として設定される時間が長過ぎると、チャンネルを確定するため長い時間にわたってキーを押し下げなければならず、操作の負担となるからである。
【００７６】
そして、所定時間Ｔ１をＴ０に等しく設定するのが最も好ましい。これにより、チャンネルの切り替えに伴うテレビモニタ２の放送の出力の不安定を生ずることなく、チャンネル切り替えの操作の負担を防ぐこともできる。
【００７７】
なお、前記図４に示される時間ｃ１は、一般に１００ｍｓｅｃ程度である。また、前記時間ｃ２は一般に３００ｍｓｅｃ程度である。また、前記時間ｃ３は、チャンネルの中心周波数と受信周波数とのずれを最大２ＭＨｚとすると、４００ｍｓｅｃ程度である。また、前記時間ｃ４は、５００ｍｓｅｃ程度である。
【００７８】
よって、前記所定時間Ｔ１を、一般的には１．５ｓｅｃ以上とするのが好ましい。そして、所定時間Ｔ１を１．５ｓｅｃ以上２．２５ｓｅｃ以下とするのがより好ましい。また、Ｔ１を１．５ｓｅｃ以上２．０ｓｅｃ以下とするのがさらに好ましい。そして、Ｔ１を１．５ｓｅｃとするのが最も好ましい。
【００７９】
次に、以上に説明したテレビ受像機１の動作の例について、図５により説明する。図５は、テレビ受像機１を動作させる手順の一例のフローチャートである。テレビ受像機１を電源オンし、操作用リモコン３のチャンネル数値キーを操作し一のチャンネルを選局する（Ｓ１）。これにより、一のチャンネルの放送を受信し、その放送内容がテレビモニタ２に出力される。
【００８０】
次に、前記一のチャンネルと異なる他のチャンネル数値キーを操作し、１回目の数値キーの入力を行う（Ｓ２）。Ｓ２におけるチャンネル数値キーの操作が長押しか否か判定する（Ｓ３）。
【００８１】
長押しと判定されると（Ｓ３、ＹＥＳ）、一桁のチャンネルが入力されたことを確定し、この一桁のチャンネルを受信するよう選局を行ってチャンネルを切り替える（Ｓ４）。これにより、受信を確定した一桁のチャンネルの放送をテレビモニタ２に出力する。
【００８２】
Ｓ３において長押しでないことを判定すると（Ｓ３、ＮＯ）、所定時間Ｔ１内にさらに次のチャンネル数値キーの入力が有ったか否か判定する（Ｓ５）。次のチャンネル数値キーによる入力が有った場合には（Ｓ５、ＹＥＳ）、一回目及びその次のチャンネル数値キーの操作による二桁チャンネルが入力されたことを確定し、この二桁チャンネルを受信するよう選局を行ってチャンネルを切り替える（Ｓ６）。これにより、受信を確定した二桁チャンネルの放送をテレビモニタ２に出力する。
【００８３】
Ｓ５において次のチャンネル数値キーによる入力が無い場合には（Ｓ５、ＮＯ）、１回目のチャンネル数値キーによる入力をキャンセルし、現在のチャンネルのままとする（Ｓ７）。
【００８４】
次に、テレビ受像機１が三桁の数値からなるチャンネルナンバーのチャンネルを受信できる場合の例について、図６、図７により説明する。図６は、三桁の数値からなるチャンネルを選択する受信を確定するタイミングを示す図である。
【００８５】
図６（ａ）に示されるように、テレビ受像機１が５チャンネルを受信しテレビモニタ２に５チャンネルの放送内容が出力されている状況で、操作用リモコン３のチャンネル数値キーの「７」を押し下げる操作を行う（Ａ１）。
【００８６】
そして、図６（ｂ）に示されるように、Ａ１でチャンネル数値キーの「７」の押し下げが開始されてからの時間をカウントし、所定時間Ｔ１が経過する時点Ａ７より前にチャンネル数値キーの「２」が押し下げられると、チャンネルの三桁の位の数値である「７」が確定する。
【００８７】
さらに、図６（ｂ）に示されるように、Ａ６でチャンネル数値キーの「２」を押し下げる操作が開始されてからの時間をカウントし、所定時間Ｔ１が経過する時点Ａ９より前にチャンネル数値キーの「５」が押し下げられると、チャンネルの二桁の位の数値の「２」及びチャンネルの一桁の位の数値の「５」が確定する。これにより、７２５チャンネルの受信が確定し、テレビモニタ２に出力される放送は、５チャンネルから７２５チャンネルに切り替えられる。
【００８８】
なお、この三桁のチャンネルの受信を確定するにあたり、チャンネルナンバーにおける一桁の位の数値の確定を、所定時間Ｔ１以上の長押しを検出することによって行うこともできる。即ち、図６に示される例において、チャンネル数値キーの「５」がＡ８で押し下げられＴ１時間が経過する時点Ａ１０まで長押しされたことを検出すると、一桁の位の数値の「５」を確定するようにしてもよい。
【００８９】
また、この図６により示される例において、チャンネル数値キーの「７」の押し下げが開始され所定時間Ｔ１が経過する前に数値キーの「７」の押し下げが解除されると、チャンネル数値キーを操作する時間のカウントは解除され、チャンネル数値キーを操作する時間を新たにカウントできるようにされる。
【００９０】
また、この図６により示される例において、チャンネル数値キーの「２」の押し下げが開始され所定時間Ｔ１が経過する前に数値キーの「２」の押し下げが解除されると、チャンネル数値キーを操作する時間のカウントは解除され、チャンネル数値キーを操作する時間を新たにカウントできるようにされる。
【００９１】
また、チャンネル数値キーの「５」の操作により、一桁の位の数値である「５」が確定すると、チャンネル数値キーを操作する時間のカウントは解除され、チャンネル数値キーを操作する時間を新たにカウントできるようにされる。
【００９２】
次に、テレビ受像機１が三桁の数値からなるチャンネルを受信できる場合について、その動作の例を図７により説明する。図７は、テレビ受像機１を動作させる手順の一例のフローチャートである。
【００９３】
テレビ受像機１を電源オンし、操作用リモコン３のチャンネル数値キーを操作し一のチャンネルを選局する（Ｓ１１）。これにより、一のチャンネルの放送を受信し、その放送内容がテレビモニタ２に出力される。
【００９４】
次に、前記一のチャンネルと異なる他のチャンネル数値キーを操作し、１桁目の数値キーの入力を行う（Ｓ１２）。そして、チャンネル数値キーの操作が長押しか否か判定するため、長押し検出時間のカウントを開始する（Ｓ１３）。
【００９５】
次に、Ｓ１２における１桁目の数値キーの操作が長押しか否かを判定する（Ｓ１４）。長押しでないと判定されると（Ｓ１４、ＮＯ）、Ｓ１３で設定した長押し検出時間のカウントをクリアし、次に入力されるチャンネル数値キーの操作を判定するための所定時間のカウントを開始する（Ｓ１５）。
【００９６】
そして、次のチャンネル数値キーによる入力が有ったか否か判定する（Ｓ１６）。次のチャンネル数値キーによる入力が有った場合には（Ｓ１６、ＹＥＳ）、受信するチャンネルが複数桁のチャンネルと確定する（Ｓ１７）。そして、受信を確定したチャンネルを選局してチャンネルを切り替え、このチャンネルの放送をテレビモニタに出力する（Ｓ１８）。そして、以上のＳ１５に移行する。
【００９７】
以上のＳ１６において次のチャンネル数値キーによる入力が有ったと判定されない場合には（Ｓ１６、ＮＯ）、後に説明するＳ２３に移行する。
【００９８】
また、以上のＳ１４において１桁目が長押しであると判定されると（Ｓ１４、ＹＥＳ）、選局動作を開始する（Ｓ１９）。そして、Ｓ１３で設定された長押し検出時間を経過したか否か判定し（Ｓ２０）、長押し検出時間を経過したと判断すると（Ｓ２０、ＹＥＳ）、受信するチャンネルは１桁チャンネルと確定し、選局動作後に確定したチャンネルに切り替え、このチャンネルの放送をテレビモニタ２に出力する（Ｓ２１）。
【００９９】
Ｓ２０において長押し検出時間を経過していないと判断した場合には（Ｓ２０、ＮＯ）、選局動作を停止する（Ｓ２２）。そして、長押し検出時間のカウント及び所定時間のカウントをクリアする（Ｓ２３）。そして、現在選局されているチャンネルのままとする（Ｓ２４）。
【０１００】
以上の図１乃至図７に基づく説明では、チャンネル数値キーは一つの数値キーが一桁の数値を表すものの例により説明した。本発明を実施するにあたり、チャンネル数値キーは、一つの数値キーが二桁の数値を表すものであってもよい。
【０１０１】
即ち、本発明のテレビ受像機を構成するにあたり、二桁の数値を表すチャンネル数値キーの一つが操作されると、該数値キーが長押しされたか否か検出し、長押しされたことを検出すると、その一つの数値キーで表されるチャンネルの受信を確定することができる。
【図面の簡単な説明】
【０１０２】
【図１】本発明の一実施形態であるテレビ受像機のブロック図である。
【図２】チャンネル数値キーの操作とチャンネルが切り替わるタイミングの一例を示す図である。
【図３】チャンネル数値キーの操作とチャンネルが切り替わるタイミングの一例を示す図である。
【図４】テレビ受像機の選局動作のタイミングを示す図である。
【図５】テレビ受像機を動作させる手順の一例のフローチャートである。
【図６】チャンネル数値キーの操作とチャンネルが切り替わるタイミングの一例を示す図である。
【図７】テレビ受像機を動作させる手順の一例のフローチャートである。
【符号の説明】
【０１０３】
１    テレビ受像機
２    テレビモニタ
３    操作用リモコン
５    チューナ
６    外部メモリ
７    リモコン受光部
１０    制御用マイコン
１１    制御部
１２    選局処理部
１３    桁設定部
１４    所定時間設定部
１５    表示制御部
１６    キー判断部
１７    キー検出部
１８    表示処理部
１９    長押し判定部
【図１】
2005079626.tif 000003
【図２】
2005079626.tif 000004
【図３】
2005079626.tif 000005
【図４】
2005079626.tif 000006
【図５】
2005079626.tif 000007
【図６】
2005079626.tif 000008
【図７】
2005079626.tif 000009